(57)【特許請求の範囲】
【請求項１】
プラントの機器を制御する制御装置と制御バスを介して前記制御装置と通信する操作監視装置よりなる制御システム、及び前記プラントからのトリップ要求に対して前記プラントを安全側に操作する安全制御装置と前記制御バスを介して前記安全制御装置と通信するエンジニアリング装置よりなる安全システムにより構成され、前記エンジニアリング装置で生成されたデータベースファイルを前記安全制御装置のデータベースにオフラインでダウンロードして初期化する統合制御システムにおいて、
前記エンジニアリング装置は、
前記操作監視装置側から前記安全制御装置にある前記データベースにアクセスしてタグデータに設定したオペレーションマーク情報の履歴を収集して保持するマーク情報保存手段と、
生成したデータベースファイルを前記安全制御装置のデータベースにオフラインでダウンロードして初期化する場合に、前記マーク情報保存手段で保持されているオペレーションマーク情報を取得して前記安全制御装置のデータベースにダウンロードし、初期化より前記オペレーションマーク情報が失われたタグデータに対し追記して復元させるダウンロード手段と、
を備えることを特徴とする統合制御システム。
【請求項２】
前記ダウンロード手段は、前記データベースファイルのダウンロードが終了した後に、前記安全装置のデータベースにダウンロードされたデータベースファイルの内、初期化より前記オペレーションマーク情報が失われるタグデータに対して前記マーク情報保存手段に保存したオペレーションマーク情報をダウンロードし、追記して復元することを特徴とする請求項１に記載の統合制御システム。
【請求項３】
前記ダウンロード手段は、前記データベースファイルのダウンロード時に前記マーク情報保存手段を参照し、ダウンロードされるデータベースファイルの内、初期化より前記オペレーションマーク情報が失われるタグデータに対し前記マーク情報保存手段より取得したオペレーションマーク情報を追記して復元したデータベースファイルを前記安全装置のデータベースにダウンロードすることを特徴とする請求項１に記載の統合制御システム。
【発明の詳細な説明】
【技術分野】
【０００１】
本発明は、操作監視装置を有する制御システムと、エンジニアリング装置からデータベースファイルが安全制御装置にダウンロードされる安全システムとが統合された統合制御システムに関するものである。
【背景技術】
【０００２】
プラントの機器を制御する分散型の制御システムと、その制御バスを共通に使用し、プラント側からのトリップ要求に対して安全側に停止制御する安全システムとを統合化した統合制御システムがある。
【０００３】
図４は、従来の統合制御システムの構成例を示す機能ブロック図である。ブロック１の範囲が統合制御システムであり、制御システム２及び安全システム３よりなる。４は、これら両システムが共通に使用する制御バスである。
【０００４】
制御システム２は、制御バス４に接続された操作監視装置２１及びこの制御バス４に接続されて操作監視装置２１と通信すると共に、プラント４の機器の制御を実行する制御装置２２により階層的に構成されている。
【０００５】
安全システム３は、制御バス４に接続されたエンジニアリング装置３１及びこの制御バス４に接続されてエンジニアリング装置３１と通信すると共に、プラント５の機器からのトリップ要求に対して安全側に停止制御する安全制御装置３２により階層的に構成されている。
【０００６】
安全制御装置３２で稼動するアプリケーションプログラム等の新規ファイルや修正ファイルは、エンジニアリング装置３１によりビルダ（図示せず）で生成されてデータベース３３に保存されたデータベースファイルが、安全制御装置３２のデータベース３４にオフラインでダウンロードされる。
【０００７】
エンジニアリング装置３１から安全制御装置３２へのデータベースファイルのダウンロードが実行されると、安全制御装置３２のデータベース３４に保持されていたデータはダウンロードされたデータで初期化される。
【０００８】
統合制御システムでは、制御システム側の操作監視装置２１から安全制御装置３２が管理するタグにアクセスして操作監視対象とすることができる。このとき、オペレータはアクセスしたタグに対してオペレーションマークを設定することができる。
【０００９】
オペレーションマークの設定とは、コメント等の任意の文字列情報を、タグを画面表示するためのフェースプレートに札掛けして、その文字列情報の画面表示を可能とする機能である。特定のタグに対する注意情報等を任意のタイミングで付加することができるので、操作監視の効率を向上させる便利な機能である。
【００１０】
特許文献１には、機器タグ名を付けたフィールド機器のデータを収集してデータベースを作成するデータ収集システムが記載されている。
【００１１】
【特許文献１】特開２００５−３２０８６号公報
【発明の開示】
【発明が解決しようとする課題】
【００１２】
従来の安全システム３の機能構成では、上述したように、データベースファイルを安全制御装置３２側にオフラインダウンロードすると、それ以前に操作監視装置２１側からタグに設定されていたオペレーションマークは初期化され、マーク情報が消去されてしまう。このため、オフラインダウンロードをする度に、設定したタグのオペレーションマークを操作監視装置２１側からタグ毎に設定し直す必要があり、操作が極めて煩雑となる。
【００１３】
本発明は上述した問題点を解決するためになされたものであり、制御システムの操作監視装置側から安全制御装置のタグに設定されたオペレーションマークを保存し、それを復元することを可能とする統合制御システムを実現することを目的としている。
【課題を解決するための手段】
【００１４】
このような課題を達成するために、本発明は次の通りの構成になっている。
（１）プラントの機器を制御する制御装置と制御バスを介して前記制御装置と通信する操作監視装置よりなる制御システム、及び前記プラントからのトリップ要求に対して前記プラントを安全側に操作する安全制御装置と前記制御バスを介して前記安全制御装置と通信するエンジニアリング装置よりなる安全システムにより構成され、前記エンジニアリング装置で生成されたデータベースファイルを前記安全制御装置のデータベースにオフラインでダウンロードして初期化する統合制御システムにおいて、
前記エンジニアリング装置は、
前記操作監視装置側から前記安全制御装置にある前記データベースにアクセスしてタグデータに設定したオペレーションマーク情報の履歴を収集して保持するマーク情報保存手段と、
生成したデータベースファイルを前記安全制御装置のデータベースにオフラインでダウンロードして初期化する場合に、前記マーク情報保存手段で保持されているオペレーションマーク情報を取得して前記安全制御装置のデータベースにダウンロードし、初期化より前記オペレーションマーク情報が失われたタグデータに対し追記して復元させるダウンロード手段と、
を備えることを特徴とする統合制御システム。
【００１５】
（２）前記ダウンロード手段は、前記データベースファイルのダウンロードが終了した後に、前記安全装置のデータベースにダウンロードされたデータベースファイルの内、初期化より前記オペレーションマーク情報が失われるタグデータに対して前記マーク情報保存手段に保存したオペレーションマーク情報をダウンロードし、追記して復元することを特徴とする（１）に記載の統合制御システム。
【００１６】
（３）前記ダウンロード手段は、前記データベースファイルのダウンロード時に前記マーク情報保存手段を参照し、ダウンロードされるデータベースファイルの内、初期化より前記オペレーションマーク情報が失われるタグデータに対し前記マーク情報保存手段より取得したオペレーションマーク情報を追記して復元したデータベースファイルを前記安全装置のデータベースにダウンロードすることを特徴とする（１）に記載の統合制御システム。
【発明の効果】
【００１８】
以上説明したことから明らかなように、本発明によれば次のような効果がある。
（１）オペレーションマークを保存し、保存されたオペレーションマークを安全制御装置へダウンロードできることで、オペレーションマークの履歴を容易に復元できる。
【００１９】
（２）一度設定したオペレーションマークを、再び操作監視装置でタグ毎に設定し直す煩雑な操作が不要となり、操作監視の効率が改善される。
【００２０】
（２）オペレーションマークを保存したファイルは、安全システムのプロジェクトファイルとして扱うことにより、保存されたオペレーションマークを、いつでもダウンロードすることができる。
【発明を実施するための最良の形態】
【００２１】
以下、本発明を図面により詳細に説明する。図１は本発明を適用した統合制御システムの一実施形態を示す機能ブロック図である。図４で説明した従来システムと同一要素には同一符号を付して説明を省略する。以下、本発明の特徴部につき説明する。
【００２２】
図１において、１００は本発明が適用された安全システムであり、エンジニアリング装置１０１及び安全制御装置１０２よりなる。エンジニアリング装置１０１のデータベース１０３及び安全制御装置１０２のデータベース１０４の構成は、従来システムの構成要素３３及び３４と同一機能である。
【００２３】
エンジニアリング装置１０１において、１０５はマーク情報保存手段である。マーク情報保存手段１０５は、操作監視装置２１側から安全制御装置１０２のタグ対してオペレーションマークの設定操作が実行された場合に、当該タグ名及びマーク情報を取得して保存する機能を備える。取得のタイミングは、オペレーションマークの設定操作の都度これと同期して取得しても良いし、定周期処理で新規設定情報を検索して取得してもよい。
【００２４】
１０６はダウンロード手段であり、データベース１０３のデータベースファイルを安全制御装置にオフラインでダウンロードする場合に、マーク情報保存手段１０５に保存されていたマーク情報を安全制御装置１０２にダウンロードして、初期化されたデータに対してマーク情報の履歴を追記して復元させる。
【００２５】
マーク情報の履歴を追記して復元させる手順としては、第１ステップとしてデータベースファイルのオフラインダウンロードを実行し、第２ステップとして初期化されたデータに対してマーク情報保存手段１０５に保存されていたオペレーションマーク情報の履歴をダウンロードして追記する手順がある。
【００２６】
別の手順としては、データベースファイルのダウンロード時にマーク情報保存手段１０５を参照し、保存されていたオペレーションマーク情報を付加したデータベースファイルを安全制御装置１０２にダウンロードする手順がある。
【００２７】
図２は、オペレーションマーク保存機能の処理手順を示すフローチャートである。ステップＳ１でオペレーションマーク保存処理を開始すると、ステップＳ２ではビルド、ダウンロード等が同時に実行されないように、データベース１０３をロックする。
【００２８】
ステップＳ３では、オフラインダウンロードが実行済みであるかをチェックし、実行済みであればステップＳ４でタグ名一覧情報をシステムから取得し、ステップＳ５でオペレーションマーク取得通信を実行し、ステップＳ６でオペレーションマーク保存ファイルを作成する。
【００２９】
ステップＳ７でデータベース１０３のロックを解除し、ステップＳ８でオペレーションマーク保存処理を終了する。ステップＳ３のチェックで、オフラインダウンロードが実行済みでない場合には、ステップＳ７にジャンプしてオペレーションマーク保存ファイルを作成しない。
【００３０】
図３は、オペレーションマークダウンロード機能の処理手順を示すフローチャートである。ステップＳ１でオペレーションマークダウンロード処理を開始すると、ステップＳ２ではビルド、ダウンロード等が同時に実行されないように、データベース１０３をロックする。
【００３１】
ステップＳ３では、オフラインダウンロードが実行済みであるかをチェックし、実行済みであればステップＳ４でタグ名一覧情報をシステムから取得し、ステップＳ５でオペレーションマーク保存ファイルの読み込みを実行し、ステップＳ６でオペレーションマーク設定通信（ダウンロード）を実行する。
【００３２】
ステップＳ７でプロジェクトデータベース１０３のロックを解除し、ステップＳ８でオペレーションマークダウンロード処理を終了する。ステップＳ３のチェックで、オフラインダウンロードが実行済みでない場合には、ステップＳ７にジャンプしてオペレーションマークダウンロード処理は実行しない。
【図面の簡単な説明】
【００３３】
【図１】本発明を適用した統合制御システムの一実施形態を示す機能ブロック図である。
【図２】オペレーションマーク保存機能の処理手順を示すフローチャートである。
【図３】オペレーションマークダウンロード機能の処理手順を示すフローチャートである。
【図４】従来の統合制御システムの構成例を示す機能ブロック図である。
【符号の説明】
【００３４】
１  統合制御システム
２  制御システム
２１  操作監視装置
２２  制御装置
４  制御バス
５  プラント
１００  安全システム
１０１  エンジニアリング装置
１０２  安全制御装置
１０３，１０４  データベース
１０５  マーク情報保存手段
１０６  ダウンロード手段
【図１】
0004538749.tif 000002
【図２】
0004538749.tif 000003
【図３】
0004538749.tif 000004
【図４】
0004538749.tif 000005